(57)【要約】【課題】帳票への記入もれを抑制する。【解決手段】情報処理装置１２の記憶部２０は、帳票のフォーマットを示す帳票情報を記憶する。第１の生成部１６Ｂは、帳票情報によって示される帳票におけるユーザによって記入されるべき記入対象領域を強調した強調画像を生成する。第１の投影制御部１６Ｅは、強調画像を帳票の載置領域上へ投影するように投影部３２を制御する。【選択図】図１
2016162310.tif 000002
【特許請求の範囲】
【請求項１】
帳票のフォーマットを示す帳票情報を記憶する記憶部と、
前記帳票情報によって示される前記帳票におけるユーザによって記入されるべき記入対象領域を強調した強調画像を生成する第１の生成部と、
前記強調画像を前記帳票の載置領域上へ投影するように投影部を制御する第１の投影制御部と、
を備える情報処理装置。
【請求項２】
前記記憶部に記憶された複数の前記帳票情報の内、ユーザによる１つの前記帳票情報の選択を受け付ける受付部を備え、
前記第１の生成部は、前記受付部で受け付けた１つの前記帳票情報によって示される前記帳票における前記記入対象領域を強調した前記強調画像を生成する、
請求項１に記載の情報処理装置。
【請求項３】
前記帳票の載置されるべき位置を示すガイド画像を投影するように前記投影部を制御する第２の投影制御部を備えた、請求項１または請求項２に記載の情報処理装置。
【請求項４】
載置された前記帳票を撮影した帳票画像を取得するように撮影部を制御する撮影制御部と、
前記帳票画像を解析し、該帳票画像によって示される前記帳票の載置位置と、前記強調画像の投影位置と、の位置ずれを示す位置ずれ情報を算出する算出部と、
前記位置ずれ情報に応じて、前記位置ずれを相殺するように、前記強調画像を変形する変形部と、
を備え、
前記第１の投影制御部は、
変形した前記強調画像を前記帳票の前記載置領域上へ投影するように前記投影部を制御する、
請求項１〜請求項３の何れか１項に記載の情報処理装置。
【請求項５】
載置された前記帳票を撮影した帳票画像を取得するように撮影部を制御する撮影制御部と、
前記記憶部に記憶された複数の前記帳票情報の内、前記帳票画像に対応する前記帳票情報を特定する特定部と、
を備え、
前記第１の生成部は、前記記憶部に記憶された複数の前記帳票情報の内、特定された前記帳票情報によって示される前記帳票における前記記入対象領域を強調した前記強調画像を生成する、
請求項１〜請求項３の何れか１項に記載の情報処理装置。
【請求項６】
前記第１の生成部は、
前記帳票情報によって示される前記帳票におけるユーザによって記入されるべき複数の前記記入対象領域の１つを選択する選択部と、
選択された前記記入対象領域を強調した前記強調画像を生成する第２の生成部と、
を含み、
当該情報処理装置は、
載置された前記帳票における、前記強調画像によって強調された前記記入対象領域にユーザによる記入が正常になされたか否かを判別する判別部と、
前記記入対象領域にユーザによる記入が正常になされたと判別したときに、前記帳票に含まれる複数の前記記入対象領域おける、記入がなされた前記記入対象領域以外の前記記入対象領域の内の１つを選択するように、前記選択部を制御する第１の制御部を備えた、
請求項１〜請求項５の何れか１項に記載の情報処理装置。
【請求項７】
前記第１の制御部は、
前記記入対象領域にユーザによる記入が正常になされたと判別したときに、前記帳票に含まれる複数の前記記入対象領域における、記入がなされた前記記入対象領域以外の前記記入対象領域の内、記入がなされた前記記入対象領域の次に記入されるべき１つの前記記入対象領域を選択するように、前記選択部を制御する、請求項６に記載の情報処理装置。
【請求項８】
前記判別部は、
前記記入対象領域に記入された記入内容が、該記入対象領域に記入されるべき内容であるか否かを解析する解析部を含み、
前記記入内容が前記記入対象領域に記入されるべき内容であると解析された場合に、前記記入対象領域にユーザによる記入が正常になされたと判別する、
請求項６または請求項７に記載の情報処理装置。
【請求項９】
前記解析部は、
前記記入対象領域に記入された記入内容が、該記入対象領域に記入されるべき文字またはマークであるか否かを解析する、
請求項８に記載の情報処理装置。
【請求項１０】
前記判別部は、
前記記入内容が前記記入対象領域に記入されるべき内容ではないと解析された場合に、
記入異常を示す画像を投影するように前記投影部を制御する、
請求項８または請求項９に記載の情報処理装置。
【請求項１１】
帳票のフォーマットを示す帳票情報によって示される前記帳票におけるユーザによって記入されるべき記入対象領域を強調した強調画像を生成するステップと、
前記強調画像を前記帳票の載置領域上へ投影するように投影部を制御するステップと、
を含む情報処理方法。
【請求項１２】
帳票のフォーマットを示す帳票情報によって示される前記帳票におけるユーザによって記入されるべき記入対象領域を強調した強調画像を生成するステップと、
前記強調画像を前記帳票の載置領域上へ投影するように投影部を制御するステップと、
をコンピュータに実行させるための情報処理プログラム。
【発明の詳細な説明】
【技術分野】
【０００１】
本発明は、情報処理装置、情報処理方法、および情報処理プログラムに関する。
【背景技術】
【０００２】
紙媒体である帳票にユーザが記入を行う場合がある。契約書の場合、例えば、販売者がユーザに対して契約書への記入方法を示し、ユーザが契約書へ記入を行っている。しかし、帳票のフォーマットは様々であり、ユーザによって記入されるべき記入対象領域が多いほど、記入漏れなどが生じる場合がある。
【０００３】
そこで、記入漏れや記入ミスなどを抑制するシステムが開示されている（例えば、特許文献１〜特許文献２参照）。例えば、特許文献１には、位置検知用のマークが印刷された帳票に、カメラの搭載された特殊な電子ペンを組み合わせ、カメラによる文字認識処理結果を用いて、記入ミスをリアルタイムで検出するシステムが開示されている。また、特許文献２には、金額の記入された伝票をスキャナで読み取り、読取結果と、別途キー入力した金額と、が一致する場合に、伝票に記帳結果を印字するシステムが開示されている。
【発明の概要】
【発明が解決しようとする課題】
【０００４】
しかしながら、従来では、専用の電子ペンや専用の帳票を必要とするため、簡易な構成で、ユーザによる帳票への記入漏れを抑制することは困難であった。また、従来では、記入済の帳票を用いた確認が行われており、ユーザによる帳票への記入時の、記入漏れを抑制することは困難であった。従って、従来では、簡易な構成で、帳票への記入漏れを抑制することは困難であった。
【課題を解決するための手段】
【０００５】
上述した課題を解決し、目的を達成するために、本発明は、帳票のフォーマットを示す帳票情報を記憶する記憶部と、前記帳票情報によって示される前記帳票におけるユーザによって記入されるべき記入対象領域を強調した強調画像を生成する第１の生成部と、前記強調画像を前記帳票の載置領域上へ投影するように投影部を制御する第１の投影制御部と、を備える。
【発明の効果】
【０００６】
本発明によれば、簡易な構成で、帳票への記入漏れを抑制することができる。
【図面の簡単な説明】
【０００７】
【図１】図１は、情報処理システムの模式図である。
【図２】図２は、情報処理システムの一例を示す模式図である。
【図３】図３は、情報処理装置と投影装置とを一体的に構成した場合の模式図である。
【図４】図４は、帳票情報の一例を示す模式図である。
【図５】図５は、記入対象領域の一例を示す図である。
【図６】図６は、帳票管理情報のデータ構成の一例を示す図である。
【図７】図７は、操作画面の一例を示す模式図である。
【図８】図８は、強調画像の一例の説明図である。
【図９】図９は、帳票上にガイド画像が投影された状態の一例を示す図である。
【図１０】図１０は、投影された強調画像の一例を示す模式図である。
【図１１】図１１は、強調画像および投影状態の一例を示す図である。
【図１２】図１２は、情報処理の手順の一例を示すフローチャートである。
【図１３】図１３は、情報処理システムの模式図である。
【図１４】図１４は、情報処理の手順の一例を示すフローチャートである。
【図１５】図１５は、情報処理システムの模式図である。
【図１６】図１６は、情報処理の手順の一例を示すフローチャートである。
【図１７】図１７は、情報処理システムの模式図である。
【図１８】図１８は、帳票の一部を拡大して示した一例を示す図である。
【図１９】図１９は、帳票の一部を拡大して示した一例を示す図である。
【図２０】図２０は、情報処理の手順の一例を示すフローチャートである。
【図２１】図２１は、ハードウェア構成図である。
【発明を実施するための形態】
【０００８】
以下、添付図面を参照しながら、本発明に係る、情報処理装置、情報処理方法、および情報処理プログラムの実施の形態を詳細に説明する。
【０００９】
（第１の実施の形態）
図１は、情報処理システム１０の模式図である。情報処理システム１０は、情報処理装置１２と、投影装置１４と、を備える。情報処理装置１２および投影装置１４は、無線または有線によるデータや信号授受可能に接続されている。
【００１０】
情報処理装置１２は、後述する各種処理を実行し、投影装置１４を制御する。投影装置１４は、画像を投影する公知の投影装置である。
【００１１】
投影装置１４は、通信部２６と、制御部２８と、一時記憶部３０と、投影部３２と、を含む。制御部２８と、通信部２６、一時記憶部３０、および投影部３２と、はデータや信号授受可能に接続されている。
【００１２】
制御部２８は、投影装置１４を制御する。通信部２６は、情報処理装置１２と通信を行う通信インターフェースである。本実施の形態では、通信部２６は、情報処理装置１２から投影対象の画像を受信する。一時記憶部３０は、情報処理装置１２から受信した投影対象の画像を記憶する。一時記憶部３０は、ＤＲＡＭ（Ｄｙｎａｍｉｃ  Ｒａｎｄｏｍ  Ａｃｃｅｓｓ  Ｍｅｍｏｒｙ）であってもよいし、ハードディスクドライブであってもよい。
【００１３】
投影部３２は、情報処理装置１２から受信した画像を投影する。投影部３２は、公知の投影機能を有する構成であればよい。
【００１４】
図２は、情報処理システム１０の一例を示す模式図である。
【００１５】
投影装置１４の投影部３２は、机などに載置された帳票４０に、強調画像４４を投影する。強調画像４４は、帳票４０における、ユーザによって記入されるべき記入対象領域４１を強調した画像である（詳細後述）。すなわち、帳票４０上に投影された強調画像４４は、帳票４０における、記入対象領域４１に相当する領域Ｐが強調表示され、該領域Ｐ以外の領域Ｑが非強調表示された画像である（詳細後述）。
【００１６】
情報処理装置１２は、例えば、携帯端末である。情報処理装置１２は、例えば、ユーザに対して帳票への記入を促すサービス提供者（例えば、セールスマン）などが操作する。情報処理装置１２の制御により、投影装置１４は、投影部３２から画像を帳票４０上に投影する。
【００１７】
なお、投影装置１４は、撮影部３１を備えた構成であってもよい。この場合、撮影部３１は、投影部３２による投影領域を撮影可能となるように、撮影方向および撮影倍率などが予め調整されていればよい。
【００１８】
なお、情報処理装置１２と投影装置１４とを一体的に構成してもよい。図３は、情報処理装置１２と投影装置１４とを一体的に構成した場合の模式図である。図３に示すように、投影装置１４に情報処理装置１２を搭載した構成としてもよい。
【００１９】
なお、本実施の形態では、情報処理装置１２と投影装置１４とを別体として構成した場合を一例として説明する。
【００２０】
図１に戻り、情報処理装置１２は、制御部１６と、ＵＩ（ユーザ・インターフェース）部１８と、記憶部２０と、一時記憶部２２と、通信部２４と、を備える。ＵＩ部１８、記憶部２０、一時記憶部２２、および通信部２４と、制御部１６と、はデータや信号授受可能に接続されている。
【００２１】
ＵＩ部１８は、各種画像を表示すると共に、ユーザからの各種指示を受付ける。ＵＩ部１８は、例えば、タッチパネルである。なお、ＵＩ部１８は、各種画像を表示する表示部と、ユーザからの各種指示を受付ける操作部と、を別体とした構成であってもよい。
【００２２】
通信部２４は、投影装置１４と通信を行う通信インターフェースである。一時記憶部２２は、各種データの一時的な記憶領域として用いる。一時記憶部２２は、例えば、ＤＲＡＭである。
【００２３】
記憶部２０は、各種データを記憶する。記憶部２０は、例えば、ハードディスクドライブである。
【００２４】
本実施の形態では、記憶部２０は、帳票４０のフォーマットを示す帳票情報３９を記憶する。本実施の形態では、記憶部２０は、フォーマットの異なる複数の（具体的には、複数種類の）帳票４０の各々の帳票情報を記憶する。
【００２５】
図４は、帳票４０のフォーマットを示す帳票情報３９の一例を示す模式図である。制御部１６は、帳票情報３９を、投影装置１４に搭載された投影部３２の投影解像度にあわせた画像サイズに調整し、予め記憶部２０に記憶する。
【００２６】
例えば、投影部３２の投影領域が１９２０×１０８０画素のサイズである場合、帳票情報３９によって示される帳票４０の全体が、このサイズに収まるように、適宜変倍処理などを行い、帳票情報３９によって示される帳票４０の画像の縦横の画素数を予め調整する。
【００２７】
図３には、Ａ４サイズの帳票４０の帳票情報３９を予め記憶部２０に記憶した場合を示した。この場合、投影領域である１９２０×１０８０画素の領域内に、Ａ４サイズの帳票４０の帳票情報３９が収まるように、帳票情報３９のサイズを予め調整し、座標登録すればよい。
【００２８】
帳票４０には、ユーザによって記入されるべき記入対象領域４１が存在する。記入対象領域４１は、１つの帳票４０内に、１または複数存在する。
【００２９】
そこで、記憶部２０は、帳票情報３９ごとに、帳票情報３９によって示される帳票４０における、ユーザによって記入されるべき記入対象領域４１を示す記入対象領域情報を予め対応づけて記憶する。
【００３０】
記入対象領域情報は、帳票情報３９における、各記入対象領域４１の位置および範囲を示す、座標情報を含む。
【００３１】
例えば、記入対象領域４１が四角形の矩形状領域であるものとし、矩形状領域の４頂点の内の対向する２頂点の各々の座標情報を、各記入対象領域４１の位置および範囲を示す情報として用いる。
【００３２】
図５は、帳票情報３９によって示される帳票４０に含まれる、記入対象領域４１の一例を示す図である。図５に示すように、帳票４０は、例えば、記入対象領域４１Ａ〜記入対象領域４１Ｐの記入対象領域４１を含む。記憶部２０は、これらの記入対象領域４１の各々の、例えば、左上の座標と、右下の座標と、を各記入対象領域４１の座標情報として記憶する。なお、座標情報の設定方法には、公知の方法を用いればよい。例えば、特開平１１−０６６２３２号公報、および特許第３６１４２５３号公報に記載の座標情報の設定方法を用いればよい。
【００３３】
記憶部２０は、フォーマットの異なる複数の帳票情報３９の各々と、各帳票情報３９によって示される帳票４０に含まれる記入対象領域４１の記入対象領域情報と、を対応づけた帳票管理情報を、予め記憶することが好ましい。
【００３４】
図６は、帳票管理情報のデータ構成の一例を示す図である。
【００３５】
帳票管理情報は、フォーマットＩＤと、帳票情報３９と、記入対象領域情報と、を対応づけたデータである。帳票管理情報は、データベースであってもよいし、テーブル形式であってもよく、そのデータ形式は限定されない。
【００３６】
「フォーマットＩＤ」は、帳票情報３９を識別する情報である。記入対象領域情報は、対応する帳票情報３９に含まれる記入対象領域４１に関する情報を含む。図６に示す例では、記入対象領域情報は、領域ＩＤと、座標情報と、記入されるべき内容と、次の領域ＩＤと、を含む。
【００３７】
記入対象領域情報に含まれる「領域ＩＤ」は、対応する帳票情報３９に含まれる記入対象領域４１の各々を識別する識別情報である。「座標情報」は、上述したように、対応する記入対象領域４１の位置および範囲を示す情報である。
【００３８】
「記入されるべき内容」は、対応する領域ＩＤによって識別される記入対象領域４１に、ユーザによって記入されるべき内容を示す情報である。
【００３９】
例えば、対応する領域ＩＤによって識別される記入対象領域４１にユーザによって記入されるべき内容が、氏名を示す漢字と、ひらがなと、であったとする。この場合、該記入対象領域４１に対応する「記入されるべき内容」は、漢字の文字情報と、ひらがなの文字情報と、である。
【００４０】
また、例えば、対応する領域ＩＤによって識別される記入対象領域４１にユーザによって記入されるべき内容が、チェックボックスへのチェックマークであったとする。この場合、該記入対象領域４１に対応する「記入されるべき内容」は、チェックマークである。
【００４１】
記入対象領域情報に含まれる、「次の領域ＩＤ」は、対応する領域ＩＤによって識別される記入対象領域４１への記入の次に記入される、他の記入対象領域４１の領域ＩＤである。なお、記入対象領域情報に含まれる、「次の領域ＩＤ」は、記入対象領域４１に記入された記入内容に応じた領域ＩＤであってもよい。すなわち、１つの領域ＩＤに対応する、「次の領域ＩＤ」は、記入対象領域４１にユーザによって記入された内容ごとに、複数対応づけられて帳票管理情報に格納されていてもよい。
【００４２】
図１に戻り、制御部１６は、後述する各処理の実行前には、記憶部２０に記憶されている帳票管理情報を一時記憶部２２へロードした上で、各処理を実行することが好ましい。一時記憶部２２へ帳票管理情報をロードした上で、各処理を実行することで、処理の高速化を図ることができる。
【００４３】
制御部１６は、情報処理装置１２を制御する。制御部１６は、受付部１６Ａと、第１の生成部１６Ｂと、第１の投影制御部１６Ｅと、第２の投影制御部１６Ｆと、を含む。第１の生成部１６Ｂは、選択部１６Ｃと、第２の生成部１６Ｄと、を含む。
【００４４】
受付部１６Ａ、第１の生成部１６Ｂ、選択部１６Ｃ、第２の生成部１６Ｄ、第１の投影制御部１６Ｅ、および第２の投影制御部１６Ｆの一部またはすべては、例えば、ＣＰＵなどの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００４５】
受付部１６Ａは、ＵＩ部１８から、ユーザによる各種操作指示を受付ける。受付部１６Ａは、例えば、各種操作の入力や選択を促す操作画面をＵＩ部１８に表示し、該操作画面を介してユーザによって入力または選択された各種操作を受け付ける。
【００４６】
本実施の形態では、受付部１６Ａは、記憶部２０（または一時記憶部２２）に記憶された複数の帳票情報３９の内、ユーザによる１つの帳票情報３９の選択を受け付ける。
【００４７】
図７は、ＵＩ部１８に表示される操作画面５０の一例を示す模式図である。図７（Ａ）は、帳票情報３９の選択を促す操作画面５０Ａの一例を示す図である。例えば、受付部１６Ａは、図７（Ａ）に示す操作画面５０ＡをＵＩ部１８に表示する。操作画面５０Ａは、例えば、表示領域５２と、指示ボタン５４と、中止ボタン５５と、次へボタン５６と、を含む。
【００４８】
表示領域５２は、記憶部２０に記憶された帳票管理情報に登録されている複数の帳票情報３９の各々のフォーマットＩＤを、順次表示する領域である。指示ボタン５４は、表示領域５２に表示するフォーマットＩＤの変更を指示する領域である。中止ボタン５５は、該操作画面５０Ａの表示を中止するときに指示する領域である。次へボタン５６は、選択された帳票情報３９の決定を指示するときに操作する領域である。
【００４９】
ユーザは、操作画面５０Ａの表示領域５２に表示されたフォーマットＩＤを参照しながら、所望のフォーマットＩＤが表示されるまで指示ボタン５４を指示する。そして、所望のフォーマットＩＤが表示されると、次へボタン５６などを指示する。この操作により、受付部１６Ａは、記入対象の帳票４０の帳票情報３９の選択を受け付ける。また、この操作により、制御部１６は、記憶部２０に記憶されていた、選択された帳票情報３９を一時記憶部２２へロードする。
【００５０】
図１に戻り、第１の生成部１６Ｂは、帳票情報３９によって示される帳票４０における、ユーザによって記入されるべき記入対象領域４１を強調した強調画像４４を生成する。
【００５１】
本実施の形態では、第１の生成部１６Ｂは、受付部１６Ａで受け付けた帳票情報３９（すなわち、記入対象の帳票４０の帳票情報３９）によって示される帳票４０における、記入対象領域４１を強調した強調画像４４を生成する。
【００５２】
第１の生成部１６Ｂは、受付部１６Ａで受け付けた帳票情報３９によって示される帳票４０に複数の記入対象領域４１が含まれる場合、複数の記入対象領域４１の内の１つを、強調した強調画像４４を生成する。
【００５３】
具体的には、第１の生成部１６Ｂは、選択部１６Ｃと、第２の生成部１６Ｄと、を含む。
【００５４】
選択部１６Ｃは、帳票情報３９によって示される帳票４０におけるユーザによって記入されるべき複数の記入対象領域４１の１つを選択する。本実施の形態では、選択部１６Ｃは、受付部１６Ａで受け付けた帳票情報３９によって示される帳票４０に複数の記入対象領域４１の内の１つを選択する。例えば、選択部１６Ｃは、帳票管理情報（図６参照）における、受付部１６Ａで受け付けた帳票情報３９に対応する複数の領域ＩＤを、昇順に順次１つずつ選択する。また、例えば、選択部１６Ｃは、受付部１６Ａで受け付けた帳票情報３９に対応する複数の領域ＩＤの内、最も数値の小さい領域ＩＤを選択した後に、該領域ＩＤに対応する「次の領域ＩＤ」に示される領域ＩＤを、順次選択してもよい。
【００５５】
そして、第２の生成部１６Ｄは、選択部１６Ｃで選択された記入対象領域４１を強調した強調画像４４を生成する。
【００５６】
このため、第１の生成部１６Ｂでは、選択部１６Ｃで新たに１つの記入対象領域４１が選択されるたびに、第２の生成部１６Ｄにおいて、該選択された記入対象領域４１を強調した強調画像４４を生成する。
【００５７】
ここで、強調画像４４について説明する。
【００５８】
強調画像４４は、上述したように、帳票情報３９によって示される帳票４０における、ユーザによって記入されるべき記入対象領域４１を強調した画像である。すなわち、帳票４０上に投影された強調画像４４は、帳票４０における、記入対象領域４１に相当する領域Ｐが強調表示され、該領域Ｐ以外の領域Ｑが非強調表示された画像である。
【００５９】
帳票４０に複数の記入対象領域４１が含まれる場合、強調画像４４は、選択部１６Ｃによって選択された１つの記入対象領域４１を強調した画像である。
【００６０】
強調画像４４は、帳票情報３９によって示される帳票４０における、選択された記入対象領域４１を強調した画像であればよく、その形態は限定されない。
【００６１】
例えば、強調画像４４は、帳票情報３９によって示される帳票４０における、選択された記入対象領域４１の領域Ｐの明度を高く（または濃度を低く）し、該記入対象領域４１以外の領域Ｑの明度を領域Ｐより低い明度（または高い濃度）とした画像である。なお、強調画像４４は、帳票情報３９によって示される帳票４０における、選択された記入対象領域４１の領域Ｐの外周の少なくとも一部を、記入対象領域４１以外の領域Ｑとは異なる明度（または異なる濃度）で示す画像であってもよい。
【００６２】
図８は、強調画像４４の一例の説明図である。例えば、図５に示す帳票４０が、記入対象として選択された帳票情報３９によって示される帳票４０であったとする。そして、選択部１６Ｃが、帳票４０における記入対象領域４１Ａを、選択したとする。なお、この記入対象領域４１Ａの領域ＩＤは、図６に示す帳票管理情報に示される、領域ＩＤ「１」であったとする。
【００６３】
この場合、第１の生成部１６Ｂ（第２の生成部１６Ｄ）は、選択された記入対象領域４１Ａの領域ＩＤに対応する座標情報から、該領域ＩＤの帳票４０における位置および範囲を特定する。そして、第１の生成部１６Ｂ（第２の生成部１６Ｄ）は、特定した領域Ｐ（図５に示す例では、左上座標（１５２，１８３）、右下座標（３８８，２６６））が白色であり、該領域以外の領域Ｑが黒色の、強調画像４４１を生成する。
【００６４】
なお、図８に示す例では、強調画像４４１には、後述するガイド画像Ｌ１が重ねて表示された形態を示した。図８に示す例では、座標（５０，５０）〜（１２９９，９３３）を囲む枠状で且つ橙色のガイド画像Ｌ１が投影された状態を示した。
【００６５】
図１に戻り、第２の投影制御部１６Ｆは、帳票４０の載置されるべき位置を示すガイド画像Ｌ１を投影するように、投影装置１４を制御する。第２の投影制御部１６Ｆは、第１の生成部１６Ｂが生成した強調画像４４が投影装置１４によって帳票４０の載置領域上に投影される前、および強調画像４４の投影中の少なくとも一方の期間に、ガイド画像Ｌ１を投影するように投影装置１４を制御することが好ましい。
【００６６】
ガイド画像Ｌ１は、ユーザによって記入される帳票４０の載置位置の位置決めに用いられる画像である。ガイド画像Ｌ１は、帳票４０の形状に沿った画像であればよい。例えば、ガイド画像Ｌ１は、帳票４０の外周に沿った矩形状であってもよいし、矩形状の帳票４０の４頂点の内の少なくとも１頂点を示す画像であってもよい。また、ガイド画像Ｌ１の色は、限定されないが、例えば、橙色などである。
【００６７】
図５に示す帳票４０の場合、第２の投影制御部１６Ｆは、座標値（５０、５０）を左上、（１２９９、９３３）を右下とする枠画像を、ガイド画像Ｌ１として用いる。
【００６８】
例えば、記憶部２０は、帳票管理情報に登録されている複数の帳票情報３９の各々に対応づけて、各帳票情報３９によって示される帳票４０に対応するガイド画像Ｌ１を予め記憶する。そして、第２の投影制御部１６Ｆは、受付部１６Ａで受け付けた帳票情報３９に対応するガイド画像Ｌ１を記憶部２０から読取ることで、ガイド画像Ｌ１を取得する。
【００６９】
そして、第２の投影制御部１６Ｆは、取得したガイド画像Ｌ１の投影指示を投影装置１４へ送信する。ガイド画像Ｌ１の投影指示には、取得したガイド画像Ｌ１が含まれる。情報処理装置１２から投影指示を受付けた投影装置１４の投影部３２は、制御部２８の制御によって、受付けた該投影指示に含まれるガイド画像Ｌ１を投影する。投影部３２は、ガイド画像Ｌ１を、例えば、帳票４０の載置領域上に投影する。
【００７０】
このようにして、第２の投影制御部１６Ｆは、ガイド画像Ｌ１を投影するように、投影装置１４を制御する。ユーザは、投影されたガイド画像Ｌ１に示される枠に、記入対象の帳票４０の外周が一致するように、該帳票４０の配置位置を調整する。これにより、記入対象の帳票４０の、位置合わせを行うことができる。
【００７１】
図９は、帳票４０上にガイド画像Ｌ１が投影された状態の一例を示す図である。図９（Ａ）は、載置された帳票４０とガイド画像Ｌ１とがずれた状態を示す図である。この場合、ユーザは、ガイド画像Ｌ１の投影位置に一致するように、帳票４０の配置位置を調整すればよい。
【００７２】
図９（Ｂ）は、ガイド画像Ｌ１と帳票４０のサイズが不一致である場合を示す図である。この場合、ユーザは、投影部３２の投影倍率の調整や、帳票４０と投影部３２との距離を調整することで、ガイド画像Ｌ１と帳票４０とのサイズが一致するように、ガイド画像Ｌ１の投影サイズを調整すればよい。
【００７３】
図９（Ｃ）は、ガイド画像Ｌ１と帳票４０とが位置合わせ済みの状態を示す図である。図９（Ｃ）に示す状態とすることで、帳票４０とガイド画像Ｌ１との位置合わせが終了した状態となる。
【００７４】
図１に戻り、第１の投影制御部１６Ｅは、第１の生成部１６Ｂが生成した強調画像４４を、帳票４０の載置領域上へ投影するように投影部１４を制御する。
【００７５】
具体的には、第１の投影制御部１６Ｅは、第１の生成部１６Ｂが生成した強調画像４４の投影指示を投影装置１４へ送信する。強調画像４４の投影指示は、第１の生成部１６Ｂが生成した強調画像４４を含む。
【００７６】
情報処理装置１２から、強調画像４４の投影指示を受付けた投影装置１４の投影部３２は、該強調画像４４を投影する。これにより、第１の投影制御部１６Ｅは、第１の生成部１６Ｂが生成した強調画像４４を、帳票４０の載置領域上へ投影するように投影部１４を制御する。
【００７７】
なお、投影部３２は、強調画像４４と、ガイド画像Ｌ１と、を重畳した画像を、投影してもよい。
【００７８】
図１０は、帳票４０上に投影された強調画像４４の一例（強調画像４４１）を示す模式図である。図１０に示すように、机などの上に載置された帳票４０上に、強調画像４４１が投影される。強調画像４４１は、記入対象領域４１Ａに相当する領域Ｐが強調表示され（例えば、白色とされ）、該領域Ｐ以外の領域Ｑが非強調表示（例えば、黒色）とされている。このため、帳票４０における、記入対象領域４１Ａに対応する領域が強調された状態となり、ユーザに対して、該記入対象領域４１Ａへの記入を選択的に促すことができる。
【００７９】
ここで、ユーザ（例えば、顧客）によって、帳票４０の記入対象領域４１Ａへの記入が終了すると、ユーザ（例えば、セールスマン）は、処理の続行の指示を入力する。
【００８０】
例えば、受付部１６Ａは、強調画像４４の投影中、図７（Ｂ）に示す操作画面５０ＢをＵＩ部１８に表示する。操作画面５０Ｂは、例えば、表示領域５１と、表示領域５７と、ボタン領域５８と、中止ボタン５９と、完了ボタン６０と、を含む。
【００８１】
表示領域５１は、現在選択されている（すなわち、ユーザによって現在記入されている）帳票４０のフォーマットを示す帳票情報３９のフォーマットＩＤを表示する領域である。表示領域５７は、強調画像４４によって現在強調表示されている記入対象領域４１の領域ＩＤを表示する領域である。ボタン領域５８における「次へ」領域は、処理の続行の指示を入力するための領域である。中止ボタン５９は、処理を中止するときに指示する領域である。完了ボタン６０は、表示領域５１に表示されているフォーマットＩＤによって識別される帳票情報３９によって示される帳票４０の全ての記入対象領域４１への記入が完了したときに指示される領域である。
【００８２】
ユーザ（例えば、セールスマン）は、操作画面５０Ｂにおけるボタン領域５８の「次へ」ボタンを指示することで、処理の続行の指示を入力する。受付部１６Ａは、該指示をＵＩ部１８から受け付けると、処理続行と判断する。
【００８３】
そして、第１の生成部１６Ｂの選択部１６Ｃは、次の領域ＩＤを選択する。次の領域ＩＤは、帳票管理情報における（図６参照）、選択部１６Ｃが前回選択した領域ＩＤ以外の領域ＩＤの内の１つであればよい。例えば、選択部１６Ｃは、前回選択した領域ＩＤに対して、昇順または降順に連続する他の領域ＩＤを選択する。また、例えば、選択部１６Ｃは、前回選択した領域ＩＤに対応する「次の領域ＩＤ」を帳票管理情報から読取り、読取った領域ＩＤを選択してもよい。
【００８４】
そして、第２の生成部１６Ｄは、選択された次の領域ＩＤによって識別される記入対象領域４１を強調した強調画像４４を生成する。図１１は、強調画像４４および投影状態の一例を示す図である。例えば、第２の生成部１６Ｄは、前回図８に示す強調画像４４１を生成した場合、今回は、図１１（Ａ）に示す、強調画像４４２を生成する。
【００８５】
強調画像４４２は、図１１（Ａ）に示すように、記入対象領域４１Ａに代えて、記入対象領域４１Ｂの領域Ｐを強調した画像となる。図１１（Ａ）に示す例では、強調画像４４２は、記入対象領域４１Ｂの領域Ｐの明度を高く（または濃度を低く）し、該記入対象領域４１Ｂ以外の領域Ｑの明度を領域Ｐより低い明度（または高い濃度）とした画像である。
【００８６】
そして、第１の投影制御部１６Ｅは、生成された強調画像４４を投影するように、投影装置１４を制御する。
【００８７】
図１１（Ｂ）は、帳票４０上に投影された強調画像４４の一例（強調画像４４２）を示す模式図である。図１１（Ｂ）に示すように、机などの上に載置された帳票４０上に、強調画像４４２が投影される。強調画像４４２は、記入対象領域４１Ｂに相当する領域Ｐが強調表示され（例えば、白色とされ）、該領域Ｐ以外の領域Ｑが非強調表示（例えば、黒色）とされている。このため、帳票４０における、記入対象領域４１Ｂに対応する領域が強調された状態となり、ユーザに対して、該記入対象領域４１Ｂへの記入を選択的に促すことができる。
【００８８】
すなわち、本実施の形態の情報処理システム１０では、帳票４０に含まれる複数の記入対象領域４１の内、１つの記入対象領域４１へのユーザによる記入が終了する度に、新たに強調画像４４が生成されて帳票４０上に投影される。このため、帳票４０を記入するユーザに対して、記入すべき記入対象領域４１を、順次強調表示して、各記入対象領域４１への記入をもれなく促すことが可能となる。
【００８９】
次に、本実施の形態の情報処理装置１２で実行する情報処理の手順を説明する。
【００９０】
図１２は、本実施の形態の情報処理装置１２で実行する情報処理の手順の一例を示すフローチャートである。
【００９１】
まず、受付部１６Ａが、帳票情報３９の選択を促す操作画面５０ＡをＵＩ部１８に表示する（ステップＳ１００）（図７（Ａ）参照）。次に、受付部１６Ａは、ユーザによる１つの帳票情報３９の選択を受け付けたと判断するまで否定判断を繰り返す（ステップＳ１０２：Ｎｏ）。ＵＩ部１８から１つの帳票情報３９の選択を受け付けると、受付部１６Ａは、ステップＳ１０２で肯定判断する（ステップＳ１０２：Ｙｅｓ）。
【００９２】
次に、第１の生成部１６Ｂが、ステップＳ１０２で選択された帳票情報３９を、記憶部２０から一時記憶部２２へロードする（読取る）（ステップＳ１０４）。
【００９３】
次に、第２の投影制御部１６Ｆが、ステップＳ１０２で受け付けた帳票情報３９に対応するガイド画像Ｌ１の投影指示を、投影装置１４へ送信する（ステップＳ１０６）。
【００９４】
ステップＳ１０６の処理によって、情報処理装置１２からガイド画像Ｌ１の投影指示を受付けた投影装置１４の投影部３２は、受付けた該投影指示に含まれるガイド画像Ｌ１を、帳票４０の載置領域上に投影する。
【００９５】
ユーザは、投影されたガイド画像Ｌ１に示される枠に、記入対象の帳票４０の外周が一致するように、該帳票４０の配置位置を調整する。これにより、記入対象の帳票４０の、位置合わせを行うことができる。
【００９６】
次に、第１の生成部１６Ｂが位置合せ済であるか否かを判断する(ステップＳ１０８)。ステップＳ１０８の判断は、例えば、ＵＩ部１８から位置合せ済を示す信号を受け付けたか否かを判別することで行う。例えば、ユーザは、帳票４０のガイド画像Ｌ１との位置合わせが終了すると、ＵＩ部１８における、位置合せ済を指示するための予め定めた領域を指示する。すると、ＵＩ部１８は、位置合せ済を示す信号を制御部１６へ出力する。第１の生成部１６Ｂは、受付部１６Ａが該位置合せ済を示す信号を受け付けたか否かを判別することで、ステップＳ１０８の判断を行えばよい。
【００９７】
ステップＳ１０８では、肯定判断（ステップＳ１０８：Ｙｅｓ）するまで否定判断（ステップＳ１０８：Ｎｏ）を繰り返す。ステップＳ１０８で肯定判断（ステップＳ１０８：Ｙｅｓ）すると、ステップＳ１１０へ進む。
【００９８】
ステップＳ１１０では、第１の生成部１６Ｂの選択部１６Ｃが、ステップＳ１０２で受け付けた帳票情報３９によって示される帳票４０におけるユーザによって記入されるべき複数の記入対象領域４１の１つを選択する（ステップＳ１１０）。上述したように、例えば、選択部１６Ｃは、帳票管理情報（図６参照）における、受付部１６Ａで受け付けた帳票情報３９に対応する複数の領域ＩＤの内、最も番号の小さい領域ＩＤ（例えば、領域ＩＤ「１」）を選択する。
【００９９】
次に、第２の生成部１６Ｄが、ステップＳ１０２で受け付けた帳票情報３９によって示される帳票４０における、選択部１６Ｃで直前に選択された記入対象領域４１を強調した強調画像４４を、生成する（ステップＳ１１２）。
【０１００】
次に、第１の投影制御部１６Ｅは、ステップＳ１１２で第１の生成部１６Ｂが生成した強調画像４４の投影指示を投影装置１４へ送信する（ステップＳ１１４）。
【０１０１】
ステップＳ１１４の処理によって、情報処理装置１２から強調画像４４の投影指示を受付けた投影装置１４の投影部３２は、該投影指示に含まれる強調画像４４を投影する。このため、帳票４０の載置領域上には、強調画像４４が投影される。このとき、上述したように、投影部３２は、強調画像４４と、ガイド画像Ｌ１と、を重畳した画像を、投影してもよい。
【０１０２】
次に、受付部１６Ａが、続行指示を受付けたと判断するまで否定判断を繰り返す（ステップＳ１１６：Ｎｏ）。ステップ１１６の判断は、ユーザによって、操作画面５０Ｂ（図７（Ｂ）参照）におけるボタン領域５８の「次へ」ボタンが指示されたか否かを判別することで、行うことが出来る。
【０１０３】
ステップＳ１１６で肯定判断すると（ステップＳ１１６：Ｙｅｓ）、ステップＳ１１８へ進む。
【０１０４】
ステップＳ１１８では、制御部１６は、次の記入対象領域４１が有るか否かを判断する（ステップＳ１１８）。ステップＳ１１８では、例えば、ステップＳ１０２で受け付けた帳票情報３９によって示される帳票４０に含まれる全ての記入対象領域４１の内、ステップＳ１１２で強調画像４４の作成に用いていない（すなわち、未記入の）記入対象領域４１があるか否かを判別することで、行う。
【０１０５】
ステップＳ１１８で肯定判断すると（ステップＳ１１８：Ｙｅｓ）、ステップＳ１２０へ進む。ステップＳ１２０では、選択部１６Ｃが、ステップ１０２で受け付けた帳票情報３９によって示される帳票４０における、次の記入対象領域４１を選択する（ステップＳ１２０）。例えば、選択部１６Ｃは、帳票管理情報におけるステップＳ１０２で受け付けた上記帳票情報３９に対応する複数の領域ＩＤの内、前回選択した領域ＩＤに対して、昇順または降順に連続する他の領域ＩＤを選択する。また、例えば、選択部１６Ｃは、前回選択した領域ＩＤに対応する「次の領域ＩＤ」を帳票管理情報から読取り、読取った領域ＩＤを選択してもよい。そして、上記ステップＳ１１２へ戻る。
【０１０６】
このため、本実施の形態の情報処理システム１０では、帳票４０に含まれる複数の記入対象領域４１の内、１つの記入対象領域４１へのユーザによる記入が終了する度に、次の記入対象領域４１を強調した強調画像４４が生成されて帳票４０上に投影される。このため、帳票４０を記入するユーザに対して、記入すべき記入対象領域４１を、順次強調表示して、各記入対象領域４１への記入をもれなく促すことが可能となる。
【０１０７】
一方、上記ステップＳ１１８で否定判断すると（ステップＳ１１８：Ｎｏ）、本ルーチンを終了する。
【０１０８】
以上説明したように、本実施の形態の情報処理装置１２は、記憶部２０と、第１の生成部１６Ｂと、第１の投影制御部１６Ｅと、を備える。記憶部２０は、帳票４０のフォーマットを示す帳票情報３９を記憶する。第１の生成部１６Ｂは、帳票情報３９によって示される帳票４０におけるユーザによって記入されるべき記入対象領域４１を強調した強調画像４４を生成する。第１の投影制御部１６Ｅは、強調画像４４を帳票４０の載置領域上へ投影するように投影部３２を制御する。
【０１０９】
このため、ユーザが記入する対象の帳票４０上には、帳票４０におけるユーザによって記入されるべき記入対象領域４１を強調した強調画像４４が投影される。
【０１１０】
従って、本実施の形態の情報処理装置１２は、帳票４０への記入もれを抑制することができる。
【０１１１】
また、本実施の形態の情報処理装置１２は、受付部１６Ａを更に備える。受付部１６Ａは、記憶部２０に記憶された複数の帳票情報３９の内、ユーザによる１つの帳票情報３９の選択を受け付ける。この場合、第１の生成部１６Ｂは、受付部１６Ａで受け付けた１つの帳票情報３９によって示される帳票４０における記入対象領域４１を強調した強調画像４４を生成する。
【０１１２】
帳票４０には、様々なフォーマットがある。本実施の形態の情報処理装置１２では、ユーザによる任意の１つの帳票情報３９の選択を受け付け、受付けた帳票情報３９に応じた強調画像４４を生成して投影する。このため、ユーザによる記入対象の帳票４０に応じた強調画像４４を投影することができる。従って、本実施の形態の情報処理装置１２は、帳票４０への記入もれを効果的に抑制することができる。また、帳票４０の種類が多数存在する場合にも、対応可能である。
【０１１３】
また、情報処理装置１２は、第２の投影制御部１６Ｆを備える。第２の投影制御部１６Ｆは、帳票４０の載置されるべき位置を示すガイド画像Ｌ１を投影するように投影部３２を制御する。
【０１１４】
このため、ユーザは、投影されたガイド画像Ｌ１に沿って帳票４０を配置することで、容易に帳票４０の位置合せを行うことができる。
【０１１５】
（第２の実施の形態）
本実施の形態では、載置された帳票４０の位置ずれを情報処理装置１２側で調整する場合を説明する。
【０１１６】
図１３は、本実施の形態の情報処理システム１０Ａの模式図である。情報処理システム１０Ａは、情報処理装置１２Ａと、投影装置１４Ａと、を備える。情報処理装置１２Ａおよび投影装置１４Ａは、無線または有線によるデータや信号授受可能に接続されている。
【０１１７】
情報処理装置１２Ａは、後述する各種処理を実行し、投影装置１４Ａを制御する。本実施の形態では、情報処理装置１２Ａは、載置された帳票４０を撮影した帳票画像に基づいて、帳票４０の位置ずれを検知し、投影する強調画像４４を補正する。投影装置１４Ａは、画像を投影する公知の投影装置である。
【０１１８】
投影装置１４Ａは、通信部２６と、制御部２８と、一時記憶部３０と、投影部３２と、撮影部３１と、を含む。制御部２８と、通信部２６、一時記憶部３０、投影部３２、および撮影部３１と、はデータや信号授受可能に接続されている。
【０１１９】
投影装置１４Ａは、第１の実施の形態における投影装置１４に、更に撮影部３１を備えた構成である。このため、通信部２６、制御部２８、一時記憶部３０、および投影部３２は、第１の実施の形態と同様である。
【０１２０】
撮影部３１は、投影部３２による投影領域を含む領域を撮影する。このため、投影部３２による投影領域に帳票４０が載置されている場合には、載置された帳票４０の帳票画像を取得する。
【０１２１】
情報処理装置１２Ａは、制御部１７と、ＵＩ部１８と、記憶部２０と、一時記憶部２２と、通信部２４と、を備える。ＵＩ部１８、記憶部２０、一時記憶部２２、および通信部２４と、制御部１７と、はデータや信号授受可能に接続されている。
【０１２２】
ＵＩ部１８、記憶部２０、一時記憶部２２、および通信部２４は、第１の実施の形態と同様である。
【０１２３】
制御部１７は、情報処理装置１２Ａを制御する。制御部１７は、受付部１６Ａと、第１の生成部１６Ｂと、第２の投影制御部１６Ｆと、撮影制御部１７Ｂと、算出部１７Ｃと、変形部１７Ｄと、第１の投影制御部１７Ｅと、を含む。
【０１２４】
受付部１６Ａ、第１の生成部１６Ｂ、第２の投影制御部１６Ｆ、撮影制御部１７Ｂ、算出部１７Ｃ、変形部１７Ｄ、および第１の投影制御部１７Ｅの一部またはすべては、例えば、ＣＰＵなどの処理装置にプログラムを実行させること、すなわち、ソフトウェアにより実現してもよいし、ＩＣなどのハードウェアにより実現してもよいし、ソフトウェアおよびハードウェアを併用して実現してもよい。
【０１２５】
受付部１６Ａと、第１の生成部１６Ｂと、第２の投影制御部１６Ｆと、は第１の実施の形態と同様である。
【０１２６】
撮影制御部１７Ｂは、投影装置１４Ａの撮影部３１を制御する。撮影制御部１７Ｂは、撮影指示を投影装置１４Ａへ送信する。投影装置１４Ａの制御部２８は、撮影指示を受付けると、撮影部３１を制御し、撮影画像を得る。これにより、撮影制御部１７Ｂは、投影装置１４Ａの撮影部３１を制御する。
【０１２７】
本実施の形態では、撮影制御部１７Ｂは、載置された帳票４０を撮影した帳票画像を取得するように撮影部３１を制御する。
【０１２８】
算出部１７Ｃは、撮影制御部１７Ｂの制御によって投影装置１４Ａから取得した帳票画像を解析し、該帳票画像によって示される帳票４０の載置位置と、強調画像４４の投影位置と、の位置ずれを示す位置ずれ情報を算出する。
【０１２９】
本実施の形態では、算出部１７Ｃは、投影装置１４Ａの撮影部３１で撮影された帳票画像を解析し、第１の生成部１６Ｂの選択部１６Ｃで選択された帳票情報３９によって示される帳票の画像との位置ずれ情報として、変換係数を算出する。
【０１３０】
この変換係数の算出には、公知の方法（例えば、特許４１１６１７９号公報）を用いればよい。具体的には、算出部１７Ｃは、選択部１６Ｃで選択された帳票情報３９から文字などの手がかりとなる第１の領域を抽出する。そして、算出部１７Ｃは、撮影された帳票画像における、該第１の領域に対応する第２の領域を探索する。そして、算出部１７Ｃは、第１の領域と第２の領域との座標値の差を示すアフィン変換係数を、変換係数（位置ずれ情報）として算出する。
【０１３１】
なお、撮影部３１によって帳票４０を撮影すると、撮影部３１から撮影位置が離れるほど、得られる帳票画像が小さくなる。このため、予め、撮影部３１のレンズ特性から、該撮影部３１によって得られた帳票画像を矩形状に変換した後にアフィン変換する、または、アフィン変換に代えて射影変換を用いてもよい。射影変換を用いて変換係数（射影変換係数）を算出し、該射影変換係数を位置ずれ情報（変換係数）として用いる方が、より精度が向上して好ましい。
【０１３２】
ここで、第１の領域上の１点の座標値を（ｘｐ，ｙｐ）、撮影部３１によって撮影された帳票４０の撮影画像における第２の領域上の対応する点の座標値を（ｘｃ，ｙｃ）とする。すると、これらの座標値は、射影変換係数ｈ１〜ｈ８を用いて、下記式（１）で表される。
【０１３３】
【数１】
2016162310.tif 000003
【０１３４】
このため、選択部１６Ｃで選択された帳票情報３９と、撮影された帳票画像と、の画像全体で４組の対応点（手がかりになる領域上の１点のペアが４組）が抽出できれば、射影変換係数を求めることができる。なお、対応点が５組以上（ｎ組）ある場合には、上記式（１）で（ｘｃ，ｙｃ）［観測値］から表現した（ｘｐ，ｙｐ）［観測値］を、（ｘｑ，ｙｑ）［計算値］として、下記式（２）によって示される残差Ｅが最小となるように射影変換係数ｈ１〜ｈ８を求めると、精度を向上させることができる。
【０１３５】
【数２】
2016162310.tif 000004
【０１３６】
なお、残差Ｅの最小値の算出方法には、公知のニュートン法などを用いればよい。
【０１３７】
変形部１７Ｄは、算出部１７Ｃが算出した位置ずれ情報に応じて、該位置ずれを相殺するように、第１の生成部１６Ｂが生成した強調画像４４を変形する。
【０１３８】
具体的には、変形部１７Ｄは、第１の生成部１６Ｂが生成した強調画像４４を、上記算出した変換係数を用いて変形する。上記式（１）により、座標ごとの対応点（すなわち、画素位置）が判明することから、変換係数を用いて、ビットマップ画像である強調画像４４を変形すればよい。
【０１３９】
第１の投影制御部１７Ｅは、第１の実施の形態の第１の投影制御部１６Ｅと同様に、第１の生成部１６Ｂが生成した強調画像４４を、帳票４０の載置領域上へ投影するように投影部１４を制御する。
【０１４０】
本実施の形態では、第１の投影制御部１７Ｅは、変形部１７Ｄが変形した強調画像４４を、帳票４０の載置領域上へ投影するように投影部３２を制御する。投影部３２の制御方法は、第１の実施の形態と同様である。
【０１４１】
このため、載置された帳票４０上には、載置された帳票４０の位置に応じて変形された強調画像４４が投影されることとなる。このため、ユーザは、帳票４０の載置位置の調整などの位置合せを行う必要がない。本実施の形態では、情報処理装置１２Ａ側で位置ずれを調整した強調画像４４が投影される。
【０１４２】
次に、本実施の形態の情報処理装置１２Ａで実行する情報処理の手順を説明する。
【０１４３】
図１４は、本実施の形態の情報処理装置１２Ａで実行する情報処理の手順の一例を示すフローチャートである。
【０１４４】
まず、受付部１６Ａが、帳票情報３９の選択を促す操作画面５０ＡをＵＩ部１８に表示する（ステップＳ２００）（図７（Ａ）参照）。次に、受付部１６Ａは、ユーザによる１つの帳票情報３９の選択を受け付けたと判断するまで否定判断を繰り返す（ステップＳ２０２：Ｎｏ）。ＵＩ部１８から１つの帳票情報３９の選択を受け付けると、受付部１６Ａは、ステップＳ２０２で肯定判断する（ステップＳ２０２：Ｙｅｓ）。
【０１４５】
次に、第１の生成部１６Ｂは、ステップＳ２０２で選択を受け付けた帳票情報３９を、記憶部２０から一時記憶部２２へロードする（読取る）（ステップＳ２０４）。
【０１４６】
次に、第２の投影制御部１６Ｆが、白色光の投影指示を投影装置１４Ａへ送信する（ステップＳ２０６）。
【０１４７】
ステップＳ２０６の処理によって、情報処理装置１２Ａから白色光の投影指示を受付けた投影装置１４Ａの投影部３２は、白色光を帳票４０の載置領域上に投影する。このため、ステップＳ２０６の処理によって、ユーザに対して帳票４０の載置を促すことができる。
【０１４８】
次に、撮影制御部１７Ｂは、投影された白色光内に帳票４０が載置済であると判断するまで否定判断を繰り返す（ステップＳ２０８：Ｎｏ）。例えば、撮影制御部１７Ｂは、帳票を載置済であることを示す載置済信号をＵＩ部１８から受け付けたか否かを判別することで、ステップＳ２０８の判断を行う。
【０１４９】
例えば、ユーザは、投影された白色光内に帳票４０を載置すると、ＵＩ部１８を操作し、載置済みであることを入力する。すると、受付部１６Ａは、載置済信号をＵＩ部１８から受け付ける。撮影制御部１７Ｂは、この載置済信号を受付部１６Ａが受け付けたか否かを判別することで、ステップＳ２０８の判断を行う。
【０１５０】
ステップＳ２０８で肯定判断すると（ステップＳ２０８：Ｙｅｓ）、ステップＳ２１０へ進む。ステップＳ２１０では、撮影制御部１７Ｂは、帳票４０の撮影指示を投影装置１４Ａへ送信する（ステップＳ２１０）。投影装置１４Ａの制御部２８は、撮影指示を受付けると、撮影部３１を制御し、撮影画像を得る。そして、投影装置１４Ａは、撮影部３１が撮影した帳票画像を情報処理装置１２Ａへ送信する。
【０１５１】
次に、算出部１７Ｃは、投影装置１４Ａから帳票画像を受信したと判断するまで否定判断を繰り返す（ステップＳ２１２：Ｎｏ）。投影装置１４Ａから帳票画像を受信すると（ステップＳ２１２：Ｙｅｓ）、ステップＳ２１４へ進む。
【０１５２】
ステップＳ２１４では、算出部１７Ｃが位置ずれ情報を算出する（ステップＳ２１４）。上述したように、本実施の形態では、算出部１７Ｃは、位置ずれ情報として、変換係数を算出する。
【０１５３】
次に、第１の生成部１６Ｂの選択部１６Ｃが、ステップＳ２０２で受け付けた帳票情報３９によって示される帳票４０におけるユーザによって記入されるべき複数の記入対象領域４１の１つを選択する（ステップＳ２１６）。次に、第２の生成部１６Ｄが、ステップＳ２０２で受け付けた帳票情報３９によって示される帳票４０における、選択部１６Ｃで直前に選択された記入対象領域４１を強調した強調画像４４を、生成する（ステップＳ２１８）。
【０１５４】
ステップＳ２１６およびステップＳ２１８の処理は、第１の実施の形態のステップＳ１１０およびステップＳ１１２と同様である（図１２参照）。
【０１５５】
次に、変形部１７Ｄが、ステップＳ２１４で算出した位置ずれ情報に応じて、位置ずれを相殺するように、ステップＳ２１８で生成した強調画像を変形する（ステップＳ２２０）。
【０１５６】
次に、第１の投影制御部１７Ｅは、ステップＳ２２０で変形された強調画像４４の投影指示を投影装置１４へ送信する（ステップＳ２２２）。
【０１５７】
ステップＳ２２２の処理によって、情報処理装置１２Ａから変形された強調画像４４の投影指示を受付けた投影装置１４Ａの投影部３２は、該投影指示に含まれる、変形された強調画像４４を投影する。このため、帳票４０の載置領域上には、帳票４０の位置に応じて変形された（すなわち、位置合せされた）強調画像４４が投影される。
【０１５８】
次に、受付部１６Ａが、続行指示を受付けたと判断するまで否定判断を繰り返す（ステップＳ２２４：Ｎｏ）。ステップＳ２２４の判断は、第１の実施の形態におけるステップＳ１１６（図１２参照）と同様である。ステップＳ２２４で否定判断すると（ステップＳ
２２４：Ｎｏ）、上記ステップＳ２１４へ戻る。ステップＳ２２４で肯定判断すると（ステップＳ２２４：Ｙｅｓ）、ステップＳ２２６へ進む。
【０１５９】
ステップＳ２２６では、制御部１７は、ステップＳ１１８と同様にして（図１２参照）次の記入対象領域４１が有るか否かを判断する（ステップＳ２２６）。ステップＳ２２６で肯定判断すると（ステップＳ２２６：Ｙｅｓ）、ステップＳ２２８へ進む。ステップＳ２２８では、選択部１６Ｃが、ステップ２０２で受け付けた帳票情報３９によって示される帳票４０における、次の記入対象領域４１を選択する（ステップＳ２２８）。ステップＳ２２８の処理は、ステップＳ１２０（図１２参照）と同様である。そして、上記ステップＳ２１８へ戻る。
【０１６０】
一方、ステップＳ２２６で否定判断すると（ステップＳ２２６：Ｎｏ）、本ルーチンを終了する。
【０１６１】
以上説明したように、本実施の形態の情報処理装置１２Ａは、受付部１６Ａと、第１の生成部１６Ｂと、第２の投影制御部１６Ｆと、撮影制御部１７Ｂと、算出部１７Ｃと、変形部１７Ｄと、第１の投影制御部１７Ｅと、を含む。
【０１６２】
撮影制御部１７Ｂは、載置された帳票４０を撮影した帳票画像を取得するように撮影部３１を制御する。算出部１７Ｃは、帳票画像を解析し、該帳票画像によって示される帳票４０の載置位置と、強調画像４４の投影位置と、の位置ずれを示す位置ずれ情報を算出する。変形部１７Ｄは、位置ずれ情報に応じて、位置ずれを相殺するように、強調画像４４を変形する。第１の投影制御部１７Ｅは、変形した強調画像４４を帳票４０の載置領域上へ投影するように投影部３２を制御する。
【０１６３】
このため、本実施の形態の情報処理装置１２Ａは、ユーザによる帳票４０の載置位置の位置合わせの調整を必要とせず、位置ずれに応じて変形した強調画像４４を投影することができる。このため、本実施の形態の情報処理装置１２Ａは、第１の実施の効果に加えて、ユーザの利便性の向上を図ることができる。
【０１６４】
また、本実施の形態の情報処理装置１２Ａは、ガイド画像Ｌ１沿って正確に帳票４０の載置位置の位置合わせを行う必要がなく、ユーザによる記入中に帳票４０の載置位置がずれた場合であっても、位置ずれに応じて変形した強調画像４４を投影することができる。このため、本実施の形態の情報処理装置１２Ａは、第１の実施の効果に加えて、ユーザの利便性の向上を図ることができる。
【０１６５】
（第３の実施の形態）
本実施の形態では、載置された記入対象の帳票４０を、情報処理装置１２Ｂ側で認識する形態を説明する。
【０１６６】
図１５は、本実施の形態の情報処理システム１０Ｂの模式図である。情報処理システム１０Ｂは、情報処理装置１２Ｂと、投影装置１４Ａと、を備える。情報処理装置１２Ｂおよび投影装置１４Ａは、無線または有線によるデータや信号授受可能に接続されている。
【０１６７】
投影装置１４Ａは、第２の実施の形態と同様である。
【０１６８】
情報処理装置１２Ｂは、後述する各種処理を実行し、投影装置１４Ａを制御する。情報処理装置１２Ｂは、制御部１９と、ＵＩ部１８と、記憶部２０と、一時記憶部２２と、通信部２４と、を備える。ＵＩ部１８、記憶部２０、一時記憶部２２、および通信部２４と、制御部１９と、はデータや信号授受可能に接続されている。
【０１６９】
ＵＩ部１８、記憶部２０、一時記憶部２２、および通信部２４は、第１の実施の形態と同様である。なお、記憶部２０には、第１の実施の形態で説明したように、帳票管理情報（図６参照）が予め登録されている。本実施の形態では、この帳票管理情報に、フォーマットＩＤによって識別される帳票情報３９によって示される帳票４０の画像を、フォーマットＩＤに対応づけて更に予め登録する。
【０１７０】
図１５に戻り、制御部１９は、情報処理装置１２Ｂを制御する。制御部１９は、受付部１９Ａと、撮影制御部１７Ｂと、特定部１９Ｂと、算出部１７Ｃと、第１の生成部１６Ｂと、変形部１７Ｄと、第１の投影制御部１７Ｅと、第２の投影制御部１６Ｆと、を含む。
【０１７１】
受付部１９Ａ、撮影制御部１７Ｂ、特定部１９Ｂ、算出部１７Ｃ、第１の生成部１６Ｂ、変形部１７Ｄ、第１の投影制御部１７Ｅ、および第２の投影制御部１６Ｆの一部またはすべては、例えば、ＣＰＵなどの処理装置にプログラムを実行させること、すなわち、ソフトウェアにより実現してもよいし、ＩＣなどのハードウェアにより実現してもよいし、ソフトウェアおよびハードウェアを併用して実現してもよい。
【０１７２】
第１の生成部１６Ｂ、および第２の投影制御部１６Ｆは、第１の実施の形態と同様である。撮影制御部１７Ｂ、算出部１７Ｃ、変形部１７Ｄ、および第１の投影制御部１７Ｅは、第２の実施の形態と同様である。
【０１７３】
受付部１９Ａは、ＵＩ部１８から、ユーザによる各種操作指示を受付ける。受付部１９Ａは、例えば、各種操作の入力や選択を促す操作画面をＵＩ部１８に表示し、該操作画面を介してユーザによって入力または選択された各種操作を受け付ける。
【０１７４】
なお、本実施の形態では、受付部１９Ａは、ユーザによる１つの帳票情報３９の選択の受付は行わない。本実施の形態の制御部１９では、記入対象の帳票４０のフォーマットを示す帳票情報３９を、制御部１９側で認識する。
【０１７５】
撮影制御部１７Ｂは、第２の実施の形態と同様に、載置された帳票４０を撮影した帳票画像を取得するように撮影部３１を制御する。
【０１７６】
特定部１９Ｂは、記憶部２０に記憶された複数の帳票情報３９の内、撮影した帳票画像に対応する帳票情報３９を特定する。
【０１７７】
例えば、記入対象の帳票４０には、該帳票４０によって示される帳票情報３９を識別するフォーマットＩＤや、該フォーマットＩＤを示すバーコードなどが予め印刷されている。特定部１９Ｂは、撮影によって得られた帳票画像における、フォーマットＩＤやバーコードなどを公知の文字認識処理などにより読取る。そして、特定部１９Ｂは、読取ったフォーマットＩＤ、または読取ったバーコードＩＤによって表されるフォーマットＩＤに対応する帳票情報３９を、帳票管理情報（図６参照）から読取ることで、帳票情報３９を特定する。
【０１７８】
なお、特定部１９Ｂは、撮影した帳票画像と、帳票管理情報に予め登録されている、帳票情報３９によって示される帳票４０の画像の各々と、を比較し、一致する帳票４０の画像を検索する。この検索には、公知の方法（例えば、特許３９３２２０１号公報参照）を用いればよい。そして、特定部１９Ｂは、検索した帳票４０の画像に対応する帳票情報３９を、特定すればよい。
【０１７９】
この場合、第１の生成部１６Ｂは、記憶部２０に記憶された複数の帳票情報３９の内、特定部１９Ｂによって特定された帳票情報３９によって示される帳票４０における、記入対象領域４１を強調した強調画像４４を生成すればよい。
【０１８０】
次に、本実施の形態の情報処理装置１２Ｂで実行する情報処理の手順を説明する。
【０１８１】
図１６は、本実施の形態の情報処理装置１２Ｂで実行する情報処理の手順の一例を示すフローチャートである。
【０１８２】
まず、情報処理装置１２Ｂは、第２の実施の形態のステップＳ２０６〜ステップＳ２１２と同様にして（図１４参照）、ステップＳ３００〜ステップＳ３０６の処理を行う。
【０１８３】
すなわち、まず、第２の投影制御部１６Ｆが、白色光の投影指示を投影装置１４Ａへ送信する（ステップＳ３００）。
【０１８４】
ステップＳ３００の処理によって、情報処理装置１２Ｂから白色光の投影指示を受付けた投影装置１４Ａの投影部３２は、白色光を帳票４０の載置領域上に投影する。このため、ステップＳ３００の処理によって、ユーザに対して帳票４０の載置を促すことができる。
【０１８５】
次に、撮影制御部１７Ｂが、投影された白色光内に帳票４０が載置済であると判断するまで否定判断を繰り返す（ステップＳ３０２：Ｎｏ）。ステップＳ３０２で肯定判断すると（ステップＳ３０２：Ｙｅｓ）、ステップＳ３０４へ進む。
【０１８６】
ステップＳ３０４では、撮影制御部１７Ｂが、帳票４０の撮影指示を投影装置１４Ａへ送信する（ステップＳ３０４）。次に、算出部１７Ｃが、投影装置１４Ａから帳票画像を受信したと判断するまで否定判断を繰り返す（ステップＳ３０６：Ｎｏ）。投影装置１４Ａから帳票画像を受信すると（ステップＳ３０６：Ｙｅｓ）、ステップＳ３０８へ進む。
【０１８７】
ステップＳ３０８では、特定部１９Ｂが、記憶部２０に記憶された複数の帳票情報３９の内、ステップＳ３０６で受信した帳票画像に対応する帳票情報３９を特定する（ステップＳ３０８）。
【０１８８】
次に、第１の生成部１６Ｂが、ステップＳ３０８で特定された帳票情報３９を、記憶部２０から一時記憶部２２へロードする（読取る）（ステップＳ３１０）。
【０１８９】
次に、制御部１９では、第２の実施の形態のステップＳ２１４〜ステップＳ２２８と同様にして、ステップＳ３１２〜ステップ３２６の処理を実行し、本ルーチンを終了する。
【０１９０】
以上説明したように、本実施の形態の情報処理装置１２Ｂは、受付部１９Ａと、撮影制御部１７Ｂと、特定部１９Ｂと、算出部１７Ｃと、第１の生成部１６Ｂと、変形部１７Ｄと、第１の投影制御部１７Ｅと、第２の投影制御部１６Ｆと、を備える。
【０１９１】
撮影制御部１７Ｂは、載置された帳票４０を撮影した帳票画像を取得するように撮影部３１を制御する。特定部１９Ｂは、記憶部２０に記憶された複数の帳票情報３９の内、撮影によって取得した帳票画像に対応する帳票情報３９を特定する。第１の生成部１６Ｂは、記憶部２０に記憶された複数の帳票情報３９の内、特定された帳票情報３９によって示される帳票４０における記入対象領域４１を強調した強調画像４４を生成する。
【０１９２】
このため、本実施の形態の情報処理装置１２Ｂは、ユーザによる、記入対象の帳票４０のフォーマットを示す帳票情報３９の選択操作を必要とせず、情報処理装置１２Ｂ側で、載置された帳票４０から帳票情報３９を選択することができる。
【０１９３】
従って、本実施の形態の情報処理装置１２Ｂでは、第１の実施の効果および第２の実施の形態の効果に加えて、更に、ユーザの利便性の向上を図ることができる。
【０１９４】
（第４の実施の形態）
本実施の形態では、ユーザによる帳票４０の記入対象領域４１への記入内容を、情報処理装置１２Ｃ側でリアルタイムにチェックする形態を説明する。
【０１９５】
図１７は、本実施の形態の情報処理システム１０Ｃの模式図である。情報処理システム１０Ｃは、情報処理装置１２Ｃと、投影装置１４Ａと、を備える。情報処理装置１２Ｃおよび投影装置１４Ａは、無線または有線によるデータや信号授受可能に接続されている。
【０１９６】
投影装置１４Ａは、第２の実施の形態と同様である。
【０１９７】
情報処理装置１２Ｃは、後述する各種処理を実行し、投影装置１４Ａを制御する。情報処理装置１２Ｃは、制御部２１と、ＵＩ部１８と、記憶部２０と、一時記憶部２２と、通信部２４と、を備える。ＵＩ部１８、記憶部２０、一時記憶部２２、および通信部２４と、制御部２１と、はデータや信号授受可能に接続されている。
【０１９８】
ＵＩ部１８、記憶部２０、一時記憶部２２、および通信部２４は、第１の実施の形態と同様である。なお、記憶部２０には、第１の実施の形態で説明したように、帳票管理情報（図６参照）が予め登録されている。本実施の形態では、第３の実施の形態と同様に、この帳票管理情報に、フォーマットＩＤによって識別される帳票情報３９によって示される帳票４０の画像を、フォーマットＩＤに対応づけて更に予め登録する。
【０１９９】
制御部２１は、情報処理装置１２Ｃを制御する。制御部２１は、受付部１９Ａと、撮影制御部１７Ｂと、特定部１９Ｂと、算出部１７Ｃと、第１の生成部１６Ｂと、変形部１７Ｄと、第１の投影制御部１７Ｅと、第２の投影制御部１６Ｆと、判別部２１Ａと、第１の制御部２１Ｃと、を含む。
【０２００】
受付部１９Ａ、撮影制御部１７Ｂ、特定部１９Ｂ、算出部１７Ｃ、第１の生成部１６Ｂ、変形部１７Ｄ、第１の投影制御部１７Ｅ、第２の投影制御部１６Ｆ、判別部２１Ａ、および第１の制御部２１Ｃの一部またはすべては、例えば、ＣＰＵなどの処理装置にプログラムを実行させること、すなわち、ソフトウェアにより実現してもよいし、ＩＣなどのハードウェアにより実現してもよいし、ソフトウェアおよびハードウェアを併用して実現してもよい。
【０２０１】
第１の生成部１６Ｂ、および第２の投影制御部１６Ｆは、第１の実施の形態と同様である。撮影制御部１７Ｂ、算出部１７Ｃ、変形部１７Ｄ、および第１の投影制御部１７Ｅは、第２の実施の形態と同様である。受付部１９Ａおよび特定部１９Ｂは、第３の実施の形態と同様である。
【０２０２】
判別部２１Ａは、載置された帳票４０における、強調画像４４によって強調された記入対象領域４１にユーザによる記入が正常になされたか否かを判別する。
【０２０３】
第１の制御部２１Ｃは、記入対象領域４１にユーザによる記入が正常になされたと判別したときに、帳票４０に含まれる複数の記入対象領域４１おける、記入がなされた記入対象領域４１以外の記入対象領域４１の内の１つを選択するように、選択部選択部１６Ｃを制御する。このため、ユーザによって記入対象領域４１への記入が正常になされるたびに、未記入の記入対象領域４１が新たに選択され、新たに選択された記入対象領域４１を強調した強調画像４４が帳票４０上に投影されることとなる。
【０２０４】
また、第１の制御部２１Ｃは、選択された１つの記入対象領域４１にユーザによる記入が正常になされたと判別したときに、帳票４０に含まれる複数の記入対象領域４１おける、記入がなされた記入対象領域４１以外の記入対象領域４１の内、記入がなされた記入対象領域４１の次に記入されるべき１つの記入対象領域４１を選択するように、選択部１６Ｃを制御することが好ましい。
【０２０５】
次に記入されるべき記入対象領域４１は、帳票４０における現在記入されている記入対象領域４１の領域ＩＤに対応する「次の領域ＩＤ」を帳票管理情報（図６参照）から読取ることで、選択すればよい。また、次に記入されるべき記入対象領域４１は、帳票４０の現在記入されている記入対象領域４１の領域ＩＤに「１」を加算した値の「領域ＩＤ」を帳票管理情報（図６参照）から読取ることで、選択してもよい。
【０２０６】
判別部２１Ａおよび第１の制御部２１Ｃの処理について、具体的に説明する。
【０２０７】
まず、判別部２１Ａは、載置された帳票４０における、強調画像４４によって強調された記入対象領域４１に、ユーザによって記入がなされたか否か（すなわち、記入済であるか否か）を判断する。
【０２０８】
判別部２１Ａは、例えば、ユーザによって、ＵＩ部１８に表示された操作画面５０Ｂ（図７（Ｂ）参照）におけるボタン領域５８の「次へ」ボタンが指示されたか否かを判別することで、記入対象領域４１へのユーザによる記入済であると判別する。ユーザは、強調画像４４によって強調された１箇所の記入対象領域４１への記入が終了すると、該ボタン領域５８の「次へ」ボタンを指示すればよい。
【０２０９】
判別部２１Ａは、強調画像４４によって強調された記入対象領域４１にユーザによって記入がなされたと判断すると、載置されている帳票４０の撮影指示を投影装置１４Ａへ送信する。そして、判別部２１Ａは、投影装置１４Ａから帳票４０の撮影画像を受信すると、算出部１７Ｃと同様にして位置ずれ情報（変換係数）を算出する。なお、判別部２１Ａは、受信した撮影画像と、記入対象の帳票４０の帳票情報３９と、の位置ずれ情報の算出を算出部１７Ｃへ指示し、算出部１７Ｃから位置ずれ情報（変換係数）を取得してもよい。
【０２１０】
本実施の形態では、判別部２１Ａは、解析部２１Ｂを含む。
【０２１１】
解析部２１Ｂは、撮影した帳票画像における、記入対象領域４１に記入された記入内容が、該記入対象領域４１に記入されるべき内容であるか否かを解析する。判別部２１Ａは、記入内容が記入対象領域４１に記入されるべき内容であると解析された場合に、記入対象領域４１にユーザによる記入が正常になされたと判別する。
【０２１２】
解析部２１Ｂは、例えば、記入対象領域４１に記入された記入内容が、該記入対象領域４１に記入されるべき文字またはマークであるか否かを解析する。
【０２１３】
具体的には、解析部２１Ｂは、まず、選択された記入対象の帳票情報３９によって示される帳票４０の画像と、撮影された帳票画像によって示される帳票４０と、の位置ずれ情報（変換係数）を用いて、記入対象の帳票４０の帳票情報３９と、撮影によって得られた帳票画像と、の位置合せを行った後に、帳票画像における、ユーザによって記入された記入対象領域４１を特定する。
【０２１４】
なお、解析部２１Ｂは、直前に選択部１６Ｃによって選択された（すなわち、投影されている強調画像４４によって強調された領域）の記入対象領域４１を確認することで、ユーザによって記入された記入対象領域４１を特定してもよい。
【０２１５】
そして、解析部２１Ｂは、特定した記入対象領域４１の領域ＩＤに対応する、記入されるべき内容を、帳票管理情報（図６参照）から読取る。そして、解析部２１Ｂは、帳票画像における該記入対象領域４１内に記入された情報（文字情報やチェックマークなど）を公知の認識方法を用いて読み取る。そして、解析部２１Ｂは、読取った記入されるべき内容と、記入対象領域４１内に記入された情報と、が一致するか否かを判断する。これにより、解析部２１Ｂは、記入対象領域３１に記入された記入内容が、該記入対象領域３１に記入されるべき内容であるか否かを解析する。
【０２１６】
例えば、解析部２１Ｂは、特定した記入対象領域４１の領域ＩＤに対応する、記入されるべき内容が、“文字”である場合、文字認識処理により、帳票画像における該記入対象領域４１に記入された情報を読取り、読取った記入されるべき内容と一致するか否かを判断する。
【０２１７】
判別部２１Ａは、記入内容が記入対象領域４１に記入されるべき内容ではないと解析された場合に、記入異常を示す画像を投影するように投影部３２を制御することが好ましい。
【０２１８】
図１８は、記入対象領域４１Ａへユーザによって記入のなされた帳票４０の一部を拡大して示した一例を示す図である。
【０２１９】
例えば、記入対象領域４１Ａに記入されるべき内容が文字情報であり、且つ、漢字とひらがなの双方を含む内容であるとする。そして、図１８（Ａ）に示すように、記入対象領域４１Ａにユーザによって記入された内容が、漢字のみであり、ひらがなが含まれていない状態であったとする。この場合、解析部２１Ｂは、該記入対象領域４１Ａに記入された記入内容が、該記入対象領域４１Ａに記入されるべき内容ではない、と解析する。
【０２２０】
この場合、図１８（Ｂ）に示すように、記入異常を示す画像を投影するように投影部３２を制御する。このため、例えば、ユーザによって記入されている帳票４０の記入対象領域４１Ａには、図１８（Ｂ）に示すように、記入異常を示す画像として、“ふりがなを記入して下さい”を示す文字画像が投影される。
【０２２１】
このため、ユーザに対して、記入間違いをリアルタイムに示すことができる。
【０２２２】
一方、図１８（Ｃ）に示すように、記入対象領域４１Ａにユーザによって記入された内容が、漢字とひらがなの双方を含む状態であったとする。この場合、解析部２１Ｂは、該記入対象領域４１Ａに記入された記入内容が、該記入対象領域４１Ａに記入されるべき内容である、と解析する。
【０２２３】
また、判別部２１Ａは、特定した記入対象領域４１の領域ＩＤに対応する、記入されるべき内容が“チェックマーク”である場合、帳票画像における記入対象領域４１に記入されたチェックボックスの認識処理を行うことで、一致するか否かを判断する。
【０２２４】
また、例えば、判別部２１Ａは、特定した記入対象領域４１の領域ＩＤに対応する、記入されるべき内容が「記入の有無の判断」である場合には、帳票画像における該記入対象領域４１内の黒画素数のカウントを行うことで、記入の有無を判断することで、一致するか否かを判断する。
【０２２５】
なお、１８（Ｃ）に示すように、解析部２１Ｂは、該記入対象領域４１Ａに記入された記入内容が、該記入対象領域４１Ａに記入されるべき内容である、と解析すると、判別部２１Ａは、該記入対象領域４１Ａにユーザによる記入が正常になされたと判別する。
【０２２６】
そして、上述したように、第１の制御部２１Ｃは、記入がなされた記入対象領域４１Ａの次に記入されるべき１つの記入対象領域４１（例えば、記入対象領域４１Ｂ）を選択するように、選択部１６Ｃを制御する。
【０２２７】
このため、第２の生成部１６Ｄは、選択部１６Ｃによって当たらに選択された記入対象領域４１Ｂを強調した強調画像４４を生成し、第１の投影制御部１７Ｅは、該強調画像４４（または、変形部１７Ｄによって変形された該強調画像４４）を帳票４０上に投影する。
【０２２８】
このため、図１８（Ｄ）に示すように、帳票４０上には、記入対象領域４１Ａの次の記入対象領域４１Ｂが強調された強調画像４４が投影されることとなる。
【０２２９】
このため、情報処理装置１２Ｃは、ユーザに対して、順次、次に記入すべき記入対象領域４１への記入を促す強調画像４４を、ユーザが記入している帳票４０上に投影することができる。
【０２３０】
図１９は、記入対象領域４１Ｅへユーザによって記入のなされた帳票４０の一部を拡大して示した一例を示す図である。図１９に示すように記入対象領域４１Ｅは、入力されるべき内容がチェックボックスへのチェックマークである。
【０２３１】
この場合、解析部２１Ｂは、該記入対象領域４１Ｅに記入された記入内容について、チェックマークを示す画像が該記入対象領域４１Ｅに含まれると解析したときに、該記入対象領域４１Ｅに記入されるべき内容が記入されている、と解析すればよい。
【０２３２】
例えば、記入対象領域４１Ｅにおける車種の何れかのチェックボックスにチェックマークが記入されている場合（図１９（Ａ））、解析部２１Ｂは、該記入対象領域４１Ｅに記入されるべき内容が記入されている、と解析する。この場合、判別部２１Ａは、該記入対象領域４１Ａにユーザによる記入が正常になされたと判別する。
【０２３３】
そして、上述したように、第１の制御部２１Ｃは、記入がなされた記入対象領域４１Ｅの次に記入されるべき１つの記入対象領域４１（例えば、記入対象領域４１Ｇ）を選択するように、選択部１６Ｃを制御する。
【０２３４】
この場合、第２の生成部１６Ｄは、選択部１６Ｃによって新に選択された記入対象領域４１Ｂを強調した強調画像４４を生成し、第１の投影制御部１７Ｅは、該強調画像４４（または、変形部１７Ｄによって変形された該強調画像４４）を帳票４０上に投影する。
【０２３５】
このため、図１９（Ｂ）に示すように、帳票４０上には、記入対象領域４１Ｅの次の記入対象領域４１Ｇが強調された強調画像４４が投影されることとなる。
【０２３６】
なお、記入対象領域４１に記入された内容に応じて、選択部１６Ｃが次に選択する記入対象領域４１を変更してもよい。
【０２３７】
例えば、記入対象領域４１Ｅにおける「その他」のチェックボックスにチェックマークが記入されている場合（図１９（Ｃ））、解析部２１Ｂは、該記入対象領域４１Ｅに記入されるべき内容が記入されている、と解析すると共に、「その他」のチェックボックスに記入がなされていると判断する。
【０２３８】
この場合、第１の制御部２１Ｃは、記入がなされた記入対象領域４１Ｅの次に記入されるべき１つの記入対象領域４１として、記入対象領域４１Ｅにおける「その他」に対応する次の記入対象領域４１として、例えば、記入対象領域４１Ｆを選択するように、選択部１６Ｃを制御する。
【０２３９】
例えば、記憶部２０に記憶されている帳票管理情報（図６参照）における、「次の領域ＩＤ」の項目に、記入された内容の各々に対応する「次の領域ＩＤ」を予め記憶しておけばよい。
【０２４０】
すると、第２の生成部１６Ｄは、選択部１６Ｃによって新たに選択された記入対象領域４１Ｆを強調した強調画像４４を生成し、第１の投影制御部１７Ｅは、該強調画像４４（または、変形部１７Ｄによって変形された該強調画像４４）を帳票４０上に投影する。
【０２４１】
このため、図１９（Ｄ）に示すように、帳票４０上には、記入対象領域４１Ｅの次の記入対象領域４１として、記入対象領域４１Ｅにおける「その他」にチェックマークが記入された場合に対応する記入対象領域４１である、記入対象領域４１Ｆが強調された強調画像４４が投影されることとなる。
【０２４２】
このため、情報処理装置１２Ｃでは、帳票４０の記入対象領域４１に記入された内容に応じて、次に記入すべき記入対象領域４１を、ユーザに対して用意に示すことができる。
【０２４３】
次に、本実施の形態の情報処理装置１２Ｃで実行する情報処理の手順を説明する。
【０２４４】
図２０は、本実施の形態の情報処理装置１２Ｃで実行する情報処理の手順の一例を示すフローチャートである。
【０２４５】
まず、情報処理装置１２Ｃは、第３の実施の形態のステップＳ３００〜ステップＳ３２０と同様にして、ステップＳ４００〜ステップＳ４２０の処理を行う。
【０２４６】
次に、判別部２１Ａが、ステップ４２０で送信した変形した強調画像４４によって強調された記入対象領域４１に、ユーザによって記入がなされたか否か（すなわち、記入済であるか否か）を判断する（ステップＳ４２２）。
【０２４７】
ステップＳ４２２で否定判断すると（ステップＳ４２２：Ｎｏ）、ステップＳ４１２へ戻る。ステップＳ４２２で肯定判断すると（ステップＳ４２２：Ｙｅｓ）、ステップＳ４２４へ進む。
【０２４８】
ステップＳ４２４では、判別部２１Ａが、載置されている帳票４０の撮影指示を投影装置１４Ａへ送信する（ステップＳ４２４）。そして、判別部２１Ａは、投影装置１４Ａから帳票４０の撮影画像の受信を判断するまで、否定判断を繰り返す（ステップＳ４２６：Ｎｏ）。ステップＳ４２６で肯定判断すると（ステップＳ４２６：Ｙｅｓ）、ステップＳ４２８へ進む。
【０２４９】
ステップＳ４２８では、判別部２１Ａが、ステップＳ４２６で受信した帳票画像によって示される帳票４０の載置位置と、ステップＳ４２０で投影指示した強調画像４４の投影位置と、の位置ずれを示す位置ずれ情報（変換係数）を算出する（ステップＳ４２８）。
【０２５０】
そして、解析部２１Ｂが、まず、ステップＳ４０８で特定した記入対象の帳票情報３９によって示される帳票４０の画像と、ステップＳ４２６で受信した帳票画像によって示される帳票４０と、の位置ずれ情報（変換係数）を用いて、記入対象の帳票４０の帳票情報３９と、撮影によって得られた帳票画像と、の位置合せを行った後に、帳票画像における、ユーザによって直前に記入された記入対象領域４１を特定する（ステップＳ４３０）。
【０２５１】
そして、解析部２１Ｂは、ステップＳ４３０で特定した記入対象領域４１に記入された記入内容が、該記入対象領域４１に記入されるべき内容であるか否かを解析する（ステップＳ４３２）。
【０２５２】
ステップＳ４３２の解析によって、記入異常有りと解析された場合には（ステップＳ４３４：Ｙｅｓ）、ステップＳ４３６へ進む。ステップＳ４３６では、判別部２１Ａが、記入異常を示す画像の投影指示を投影装置１４Ａへ送信する（ステップＳ４３６）。ステップＳ４３６の処理によって、記入異常を示す画像が帳票４０上に投影される。そして、上記ステップＳ４２２へ戻る。
【０２５３】
一方、ステップＳ４３４で記入異常無し、すなわち、記入内容が記入対象領域４１に記入されるべき内容であると解析された場合（ステップＳ４３４：Ｎｏ）、判別部２１Ａは、記入対象領域４１にユーザによる記入が正常になされたと判別し、ステップＳ４３８へ進む。
【０２５４】
ステップＳ４３８では、制御部２１は、次の記入対象領域４１が有るか否かを判断する（ステップＳ４３８）。ステップＳ４３８の判断は、第１の実施の形態のステップＳ１１８（図１２参照）と同様にして行う。
【０２５５】
そして、ステップＳ４３８で肯定判断すると（ステップＳ４３８：Ｙｅｓ）、ステップＳ４４０へ進む。ステップＳ４４０では、第１の制御部２１Ｃが、次の記入対象領域４１を選択するように、選択部１６Ｃを制御する（ステップＳ４４０）、そして、上記ステップＳ４１６へ戻る。
【０２５６】
一方、ステップＳ４３８で否定判断すると（ステップＳ４３８：Ｎｏ）、本ルーチンを終了する。
【０２５７】
以上説明したように、本実施の形態の情報処理装置１２Ｃの第１の生成部１６Ｂは、選択部１６Ｃと、第２の生成部１６Ｄと、を備える。選択部１６Ｃは、帳票情報３９によって示される帳票４０におけるユーザによって記入されるべき複数の記入対象領域４１の１つを選択する。第２の生成部１６Ｄは、選択された記入対象領域４１を強調した強調画像４４を生成する。また、情報処理装置１２Ｃは、判別部２１Ａと、第１の制御部２１Ｃと、を備える。
【０２５８】
判別部２１Ａは、載置された帳票４０における、強調画像４４によって強調された記入対象領域４１にユーザによる記入が正常になされたか否かを判別する。第１の制御部２１Ｃは、記入対象領域４１にユーザによる記入が正常になされたと判別したときに、帳票４０に含まれる複数の記入対象領域４１における、記入がなされた記入対象領域４１以外の記入対象領域４１の内の１つを選択するように、選択部１６Ｃを制御する。
【０２５９】
このため、本実施の形態の情報処理装置１２Ｃでは、記入もれに加えて、記入間違いについても、ユーザに対してリアルタイムに示すことができる。
【０２６０】
従って、本実施の形態の情報処理装置１２Ｃでは、第１の実施の形態の効果に加えて、さらに、記入間違いについても示すことができる。このため、帳票４０における記入対象領域４１への記入もれに加えて、記入ミスを抑制することができ、入力不備の可能性を減じることができる。
【０２６１】
また、本実施の形態の情報処理装置１２Ｃの第１の制御部２１Ｃは、記入対象領域４１にユーザによる記入が正常になされたと判別したときに、帳票４０に含まれる複数の記入対象領域４１における、記入がなされた記入対象領域４１以外の記入対象領域４１の内、記入がなされた記入対象領域４１の次に記入されるべき１つの記入対象領域４１を選択するように、選択部１６Ｃを制御する。
【０２６２】
このため、ユーザは、帳票４０上に投影された強調画像４４によって、順次強調される記入対象領域４１へ記入を行うことができる。
【０２６３】
また、本実施の形態の情報処理装置１２Ｃでは、判別部２１Ａは、解析部２１Ｂを含む。解析部２１Ｂは、記入対象領域４１に記入された記入内容が、該記入対象領域４１に記入されるべき内容であるか否かを解析する。そして、判別部２１Ａは、記入内容が記入対象領域４１に記入されるべき内容であると解析された場合に、記入対象領域４１にユーザによる記入が正常になされたと判別する。
【０２６４】
また、解析部２１Ｂは、記入対象領域４１に記入された記入内容が、該記入対象領域４１に記入されるべき文字またはマークであるか否かを解析する。
【０２６５】
また、判別部２１Ａは、記入内容が記入対象領域４１に記入されるべき内容ではないと解析された場合に、記入異常を示す画像を投影するように投影部３２を制御する。
【０２６６】
図２１は、情報処理装置１２、情報処理装置１２Ａ、情報処理装置１２Ｂ、情報処理装置１２Ｃ、投影装置１４、および投影装置１４Ａのハードウェア構成図である。情報処理装置１２、情報処理装置１２Ａ、情報処理装置１２Ｂ、情報処理装置１２Ｃ、投影装置１４、および投影装置１４Ａは、ハードウェア構成として、装置全体を制御するＣＰＵ２９０１と、各種データや各種プログラムを記憶するＲＯＭ２９０２と、各種データや各種プログラムを記憶するＲＡＭ２９０３と、表示装置２９０４と、外部装置と通信を行うインターフェース（Ｉ／Ｆ）部２９０５と、ＤＲＡＭ２９０６と、を主に備えており、通常のコンピュータを利用したハードウェア構成となっている。
【０２６７】
上記実施の形態の情報処理装置１２、情報処理装置１２Ａ、情報処理装置１２Ｂ、情報処理装置１２Ｃ、投影装置１４、および投影装置１４Ａで実行される情報処理プログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０２６８】
また、上記実施の形態の情報処理装置１２、情報処理装置１２Ａ、情報処理装置１２Ｂ、情報処理装置１２Ｃ、投影装置１４、および投影装置１４Ａで実行される情報処理プログラムを、インターネット等のネットワークに接続されたコンピュータ上に格納し、ネットワーク経由でダウンロードさせることにより提供するように構成してもよい。また、上記実施の形態の情報処理装置１２、情報処理装置１２Ａ、情報処理装置１２Ｂ、情報処理装置１２Ｃ、投影装置１４、および投影装置１４Ａで実行される情報処理プログラムをインターネット等のネットワーク経由で提供または配布するように構成してもよい。
【０２６９】
また、上記実施の形態の情報処理装置１２、情報処理装置１２Ａ、情報処理装置１２Ｂ、情報処理装置１２Ｃ、投影装置１４、および投影装置１４Ａで実行される情報処理プログラムを、ＲＯＭ等に予め組み込んで提供するように構成してもよい。
【０２７０】
上記実施の形態の情報処理装置１２、情報処理装置１２Ａ、情報処理装置１２Ｂ、情報処理装置１２Ｃ、投影装置１４、および投影装置１４Ａで実行される情報処理プログラムは、上述した各部を含むモジュール構成となっており、実際のハードウェアとしてはＣＰＵ（プロセッサ）が上記記録媒体からプログラムを読み出して実行することにより上記各部が主記憶装置上にロードされ、上記各部が主記憶装置上に生成されるようになっている。
【０２７１】
なお、本発明は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。また、種々の変形が可能である。
【符号の説明】
【０２７２】
１２、１２Ａ、１２Ｂ、１２Ｃ  情報処理装置
１４、１４Ａ  投影装置
１６Ａ、１９Ａ  受付部
１６Ｂ  第１の生成部
１６Ｃ  選択部
１６Ｄ  第２の生成部
１６Ｅ、１７Ｅ  第１の投影制御部
１６Ｆ  第２の投影制御部
１７Ｂ  撮影制御部
１７Ｃ  算出部
１７Ｄ  変形部
１９Ｂ  特定部
【先行技術文献】
【特許文献】
【０２７３】
【特許文献１】特開２００７−２２６５７７号公報
【特許文献２】特開平０６−０６８１２２号公報
【図１】
2016162310.tif 000005
【図２】
2016162310.tif 000006
【図３】
2016162310.tif 000007
【図４】
2016162310.tif 000008
【図５】
2016162310.tif 000009
【図６】
2016162310.tif 000010
【図７】
2016162310.tif 000011
【図８】
2016162310.tif 000012
【図９】
2016162310.tif 000013
【図１２】
2016162310.tif 000014
【図１３】
2016162310.tif 000015
【図１４】
2016162310.tif 000016
【図１５】
2016162310.tif 000017
【図１６】
2016162310.tif 000018
【図１７】
2016162310.tif 000019
【図１８】
2016162310.tif 000020
【図１９】
2016162310.tif 000021
【図２０】
2016162310.tif 000022
【図２１】
2016162310.tif 000023
【図１０】
2016162310.tif 000024
【図１１】
2016162310.tif 000025